(57)【要約】小型及び順応性に起因して運ぶのが快適かつ容易で、装置が固定される人又は物体の更なる視覚化を提供する本システムについて述べる。本システムは、第１の反射バンドのスペースを設け、残るスペースに各抜き出し可能カートリッジが固定されるフレームを含み、各抜き出し可能カートリッジは、これら各抜き出し可能カートリッジのための開口を有するフレームの突起によって保持されている。上記バンド及びカートリッジは、これら自体の間の、及び主装置の相補的接続部との間の相補的接続部を備えている。【選択図】図１
2007533864.tif 000002
【特許請求の範囲】
【請求項１】
人、物体又は障害物の容易かつ迅速な視覚化のために設計された視認性の高い反射システムであって、
主装置（１）は、一端にポケット又はチャンバ（２）を有するよう設計されたフレームにより形成され、自動巻き付け手段によって回転軸（８）に巻き付けられ前記ポケット（２）の壁部の開口（４）から外部に出ると共に自由端に接続引っ掛け手段（５）を有する反射バンド（３）を含み、抜き出し可能カートリッジ（６，７）を収容するよう設計された２つの空きスペース（１０）を前記フレーム内に有し、
前記主装置（１）の前記フレームは、前記バンド（３）の出口の反対端に、該バンド（３）の接続要素（５）を補う保持要素（１５）を組み込み、
前記抜き出し可能カートリッジ（６，７）のそれぞれは、略円筒形状に構成され、前記フレームの対応する前記空きスペース（１０）に容易に収まるよう設計され、前記主装置（１）又は他のカートリッジの前記接続要素、及び前記各カートリッジ（６，７）にも含まれる保持部（１５）に引っ掛けられる接続部（５ａ，５ｂ）と自動巻き付け手段を有する回転軸（８）に巻き付けられる反射バンド（３ａ，３ｂ）を含むことを特徴とする視認性の高い反射システム。
【請求項２】
前記主装置（１）のフレームの空きスペース（１０）における前記各カートリッジ（６，７）の連結及び保持は、前記それぞれの空きスペース（１０）の上部に形成された突起（１１）を介してなされ、該突起は、前記各抜き出し可能カートリッジ（６，７）の上部の開口（１２）に接続されるよう設計されていることを特徴とする請求項１記載の視認性の高い反射システム。
【請求項３】
前記抜き出し可能カートリッジ（６，７）及び前記反射バンド（３ａ，３ｂ）の少なくとも一方は、金属面に単純な接触により固定され得る磁気手段（１７ａ，１７ｂ）を有することを特徴とする請求項１又は請求項２記載の視認性の高い反射システム。
【請求項４】
請求項１から請求項３のいずれか１項記載の視認性の高い反射システムの使用方法であって、
光の弱い又は光のない位置における人又は物体に固定することを特徴とする視認性の高い反射システムの使用方法。
【請求項５】
それぞれの反射バンド（３，３ａ，３ｂ）を収容した主装置（１）及び抜き出し可能カートリッジ（６，７）を含み、前記それぞれの反射バンドが、光のラインを形成する長い距離を覆うべく互いに接続可能であることを特徴とする請求項４記載の視認性の高い反射システムの使用方法。
【発明の詳細な説明】
【技術分野】
【０００１】
本発明は、現存の技術的装置において同じ目的をもった、周知で公用されている手段に関して、新規な本質的特性及び相当な利点を提供する視認性の高い反射システムである。
特に、本発明は、自然又は人工の光が不足している際に視認できるようにする程度の高い視認性を、人、物体、障害物、又はある種の危険を引き起こし得るもの全てに提供する。本発明のシステムはフレームと関連し、このフレームは、上記の目的のために設計され、日常生活のほとんどの状況に適用するのに十分な反射素材を提供し、順応性及び小型に起因して、バッグに入れて、オートバイその他の車両のポーチに入れて、或いは何にでも入れて運べるように、人の腰に縛るのを容易にするべく設計されている。
【０００２】
本発明の適用分野は、もちろん産業上であって、一般に、人、車両及び物体のための安全装置の生産に寄与する領域にある。
【背景技術】
【０００３】
視認性が低くなった場合や、何らかの危険が視認性の欠如から生じ得る場所において、人又は物体を視覚化するのに反射装置が長年用いられていることが広く知られている。例えば、反射ジャケットを着用した人が仕事をする場所において限られた視認性の中でも明確に目につくようにするため、ひいては不要なアクシデントを避けるために、公務（警察官、消防士、ごみ収集員、道路整備員等）の労働者により用いられる反射ジャケットについて言及することができる。
【０００４】
上記反射ジャケットは、役割を的確に満たし、上述の状況における着用者の容易かつ有効な視覚化を提供する。しかしながら、疑う余地のない効果的な働きをするにもかかわらず、現存の装置は、腰から首の一定サイズの体を覆う装置であり、特に人の同一性又は着用者の専門職業を隠すという事実に関連する不都合をも有する。他の状況において、容易に順応しない、或いは不快な、一定の用途に開発した特別な装置でもある。
【発明の開示】
【０００５】
本発明の主な目的は、非常に差別化された状況に用いるために、視認性の高い反射手段を用いて、前段で述べた不都合の有効な解決を提供するシステムを開発することである。本発明のシステムを明確にする主な特徴は、請求項１にある。
【０００６】
基本的に、本発明の装置物はフレーム周りに構造化され、このフレームは、好ましくはプラスチック材料からなり、取り外し不可能な反射バンド（逆反射する、燐光を発する、又は蛍光を発するもの）を含むと共に何らの引張り張力も受けないときにバンドの巻き付けを生じさせる従来の自動巻き付け手段を有し、一端にフレームに結合した閉じた領域を有する。フレームの残りの部分には、同じタイプで上述の定着した領域に含まれるバンドと同類の他のバンドを有する２つのカートリッジを収容する２つのポケットが設計されている。しかしながら、上記２つのカートリッジは抜き出し可能で、バンドを独立して用いる必要があるとき、バンドを互いに結合する必要があるとき、及び／又はフレームの固定ポケットに収納されたバンドと結合する必要があるときに、フレームから取り外され得る。バンド及びカートリッジは、作用位置への迅速かつ簡単な取付けのために従来からの取付け手段を有している。更に、各バンド及びそれぞれのカートリッジ、又は、フレーム自体は、何らかの金属面における簡単な接触により装置への固定を可能にするための磁気部（対応する磁石を有する）が組み込まれ得る。
【０００７】
当該システムが、容易に発見できるため、及び不十分な又は弱い光に起因した全ての危険を回避するために、人の容易な視覚化のみならず物体及び種々のアイテムの道標となるべく、大いに変更できると共に多くの応用可能性を有していることは明白である。
【発明を実施するための最良の形態】
【０００８】
類似或いは同一の部分に同じ符号を付した図面を参照しながら好適な実施の形態を詳細に説明する。そこで図１をみると、本発明が提案するシステムは符号１で示される主装置を含み、この主装置１は、フレームのように構成され、反射バンド３を含み得るスペース２を確保するべく各端部が幅広になっている。上記の反射バンド３は、スペース２の側部に形成された開口４を通って外側に出ると共に、金属製で小径のワイヤ或いはロッドからなり閉じたフックのような取付け手段５を有している。主装置１のフレームの残りのスペースは、閉じたフックのように形成され取付け手段５ａ及び５ｂを各々の端部に有する反射バンド３ａ及び３ｂを含む符号６及び７で示される円筒形のカートリッジをそれぞれ収納する２つの大きな空きスペース１０を有する。上記のバンド３ａ及び３ｂの特徴は、通常、本体１のスペース２に位置するバンド３と一致する。更に、各空きスペース１０は、その上面に形成され、これらカートリッジが対応するスペース１０に位置するとき各カートリッジをスペース１０に固定保持し、各カートリッジ６及び７の上面の開口１２に係合する突起部１１を有している。このシステムは、ユーザが必要なときにただ軽く手で引っ張ることにより各カートリッジ６及び７が抜き出されるという相対保持の最良の効果を生み出す。
【０００９】
基本的に、本発明の主装置１の構成は、上述したことと一致している。とは言うものの、例え好適な実施の形態がフレーム２並びに抜き出し可能で独立したカートリッジ６及び７の位置に配置された全部で３つのバンド３，３ａ，３ｂを有していても、用途により必要とされる或いは要求される条件を装置が満たすならば、空きスペース１０の数ひいてはカートリッジの数が多くなることもある。したがって、２つの抜き出し可能なカートリッジに関してなされる説明において、空きスペースに関する数を与えるカートリッジの数が相違して設計されることが完全に推定できる。
【００１０】
図２は、図１のＡ−Ａ断面図及びＢ−Ｂ断面図を示し、Ａ−Ａ断面図は、主装置を切って、上述したように、引っ張りが持続して働かないときに反射バンド３を自動巻き付けするための何らかの既存の回復手段を組み込んだ中心回転軸８上に巻かれたバンド３を有するスペース２の内部を示し、一方、Ｂ−Ｂ断面図は、自動巻き付け手段に対し同様に接続される中心回転軸９に反射バンド３ｂが巻き付けられた状態を、抜き出し可能カートリッジ７（抜き出し可能カートリッジ６と同様）を切って示している。
【００１１】
図３に関しては、同じく図１の主装置１の概略全体図を示しているが、この場合、全体装置全体がユーザの目的で配置された際に外側となる逆側を示している。フレームは、透明スペース１３をも有している。透明スペース１３は、両方ともが装置本体の中間高さにおいて、分離した透明スペース１３の間の中心位置に２重の「Ｌ」字形状に設計された他の部分１４にぶつからず長手方向に配置されている。この他の部分１４には、装置と同一の材料からなるカバーにより覆われ、要求に応じてフレーム１９の上部に位置し、小さいバッテリ（例えば、時計に用いられるようなもの）を有する（不図示の）光源が配置されている。また、固定位置２の反対側のフレームの端部に関して、保持部１５は、反射バンドのそれぞれの端部に結合した手段５の取付けを可能にするべく、湾曲した形状に設計されてある。
【００１２】
本発明のシステムの要素の別の工学技術、及び構造上の特徴を述べた後、本システムの使用法のいくつかの例を説明する。
まず、図４は、反射バンド３が箱体の外部にあり、必要とする人体又は何らかの物体に連結するに十分なバンド長さを呈する操作状態における装置１を示している。連続した図は、カプリング５の内側に保持要素１５をガイドすることによってなされる、バンド３の端部に結合した引っ掛け手段５と、装置１のフレームに結合した要素１５との連結の様子を示している。
【００１３】
図５において同じく連続した図を見ることができるが、この場合、抜き出し可能なカートリッジに適用しており、即ち、反射バンド３ａのカートリッジ６と、保持要素１５ａに連結される反射バンド３ａの引っ掛け要素５ａと、図４の主装置と同様の動作とを示している。
【００１４】
図６を見てみると、運搬人或いはユーザの明確な視覚化を提供するために、上記すべての連結に考えられる、システムの別の要素の使用法がわかる。この場合、１、２又は３の反射要素の使用における別々の考えられる代替案と共に、人を符号１６ａ〜１６ｄで示している。１番目の例では、人１６ａは、主装置１のみを腰周りの反射バンド３と共に用いている。２番目の例では、人１６ｂは、１６ａと同じ位置の主装置１の使用と、反射バンド３ａを胸にかけた抜き出し可能カートリッジ６の使用とを組み合わせている。３番目は、主装置１及び１つの抜き出し可能カートリッジ６を用いた人１６ｃを示しているが、この場合、バンドは胸の中間高さで横に巻かれている。４番目は、主装置１及び２つの抜き出し可能カートリッジ６，７の３つのカートリッジの使用を示しており、符号３のバンドは上記の例のようにユーザ１６ｄの腰に適用され、他の２つのバンド３ａ，３ｂはユーザの胸及び背中に回して、両肩にかけられている。
【００１５】
反射バンドが、上記のように異なる用途の選択肢を許容する固定スペース２及び両カートリッジ６，７に配置される供給又は回復手段によって、所定位置に快適且つ迅速に収まるのが非常に容易であることは明らかである。
【００１６】
何らかの理由で不良の又は不十分な照明の場所に移動しなければならない人に対する説明をすることを考慮する必要もある。しかし、適用分野が人のみではなく、同様の条件において明確に目立たせる必要のある、動いている車両若しくは物体、又は定位置にある要素を含んだ、いかなる物体又は障害物にも及ぶように、上記の用途は実例となる原則としてのみ捉えなければならない。
【００１７】
図７は、本発明のシステムにより提案された要素の一組の用途の新たな可能性として、より大きい究極的な長さを得るための上述の３つの構成要素の連結を示している。上記の要素は、互いに相互連結することのできる係合手段５，５ａ，５ｂにより、又は、主装置１と各カートリッジ６，７に配置された保持手段１５，１５ａ，１５ｂにより、相互連結可能となっている。このように、バンドの長さが希望の用途に応じて変えられることを考慮すると、全ての要素を接続するのみで、相当の長さを保護することができる。
【００１８】
係合手段５，５ａ，５ｂを介してバンドを接続することができるのは、図８ａ及び８ｂにおいて、より明確にわかる。最初の図は、一方が他方の閉じたスペースを通って、回転し、図８Ｂに示す結合を構成するための２つの連結部５及び５ａを示している。この相互連結の構成は、既に知られたものであり、簡単且つ迅速という理由から本発明において用いられている。
【００１９】
図９ａは、上述のシステムの変更例を示している。カートリッジ６及び７並びにそれぞれの反射バンド３ａ，３ｂは、それぞれ、簡単な接触によって金属面への固定を可能にする磁気手段１７ａ，１７ｂを有している。この状態は図９ｂにはっきりと示されており、ここでは、カートリッジ６を１つのポールに磁気によって取付けると共に他端を反対側のポールに磁気で取り付けることで、反射バンド３が２つの金属ポール１８間に延びている。
【００２０】
どんな種類のマグネットを用いるかは重要なことではなく、それ故、貼り付けられていても埋め込まれていても、要求される位置及び数で、どんなマグネットを用いてもよい。
本発明が提案するシステムは、小型及び軽量によって運ぶのも着用するのも非常に容易かつ快適であり、ユーザは手で持つことができると共に、必要なときにいつでも使用することができる。
【００２１】
熟練者が容易に使用用途及び本発明に起因する有利な効果を理解し、同様の目的で実践もするように、説明を強く主張する必要はない。
しかしながら、説明が本発明の好ましい用途を示し、本発明の基本理論の変更なく改良され得ることは明らかである。改良は、基本的に、システム又はその一部の、形状、サイズ及び／又は原料を変更するものであろう。
【図面の簡単な説明】
【００２２】
【図１】本発明に係るシステムの好ましい形態の、遠近法による概略全体図である。
【図２】それぞれ図１のＡ−Ａ断面図及びＢ−Ｂ断面図である。
【図３】使用時における装置の外側部分である図１の装置の反対側から見た図である。
【図４】反射バンドと装置のフレームとの固定方法を連続的に示す図である。
【図５】主装置のフレームに組み込まれた抜き出し可能カートリッジとその反射バンドとの固定を連続的に示す図である。
【図６】人に適用した際の本発明のシステムの種々の利用可能性の例を列挙した図である。
【図７】抜き出し可能カートリッジと光パターンを有する主装置とを結合した使用法を示す図である。
【図８ａ】２つの反射バンドの利用を示す連続図（その１）である。
【図８ｂ】２つの反射バンドの利用を示す連続図（その２）である。
【図９ａ】磁気固定手段を組み込んだバンド及びカートリッジの利用を示す連続図（その１）である。
【図９ｂ】磁気固定手段を組み込んだバンド及びカートリッジの利用を示す連続図（その２）である。
【図１】
2007533864.tif 000003
【図２】
2007533864.tif 000004
【図３】
2007533864.tif 000005
【図４】
2007533864.tif 000006
【図５】
2007533864.tif 000007
【図６】
2007533864.tif 000008
【図７】
2007533864.tif 000009
【図８ａ】
2007533864.tif 000010
【図８ｂ】
2007533864.tif 000011
【図９ａ】
2007533864.tif 000012
【図９ｂ】
2007533864.tif 000013
【国際調査報告】
2007533864.tif 000014
2007533864.tif 000015
2007533864.tif 000016
2007533864.tif 000017